(57)【特許請求の範囲】
【請求項１】
車両前端の取付部に装着され、平面視で前記車両前中央から前記車両後方へ略Ｖ字状断面を有し、車両が走行しながら進路上に積雪した雪を押しのけるように形成された除雪板を有する鉄道車両用雪かき装置であって、
前記除雪板の外周面には、前記進路上に積雪した雪の積雪量が所定の基準値以下であることを表わし、前記車両の運転が可能な状態を示す使用可能表示部と、前記積雪量が所定の基準値以上であることを表し、前記車両の運転が不可能な状態を示す使用不可能表示部とを形成したこと、
前記使用可能表示部及び前記使用不可能表示部は、上下方向で互いに隣接して車両前面から車両側面まで帯状に形成されていること、
を特徴とする鉄道車両用雪かき装置。
【請求項２】
請求項１に記載された鉄道車両用雪かき装置において、
前記使用可能表示部には、雪とコントラストのつきやすい濃い色を着色し、かつ、前記使用不可能表示部には、当該濃い色と区別しやすい明るい色を着色したことを特徴とする鉄道車両用雪かき装置。
【請求項３】
請求項１又は請求項２のいずれか１項に記載された鉄道車両用雪かき装置において、
前記除雪板には、積雪した雪をかき取り可能に形成された雪かき部を有し、前記使用可能表示部は前記雪かき部に主に形成されていることを特徴とする鉄道車両用雪かき装置。
【請求項４】
請求項１乃至請求項３のいずれか１項に記載された鉄道車両用雪かき装置において、
前記車両前端の取付部には、進路上に置かれた障害物を排除する排障部を有する排障装置と前記雪かき装置とを交換可能に装着されることを特徴とする鉄道車両用雪かき装置。
【発明の詳細な説明】
【技術分野】
【０００１】
本発明は、鉄道車両に装着され、当該車両が走行しながら進路上に積雪した雪の除雪を行うように形成された雪かき装置に関する。
【背景技術】
【０００２】
一般に、鉄道車両に装着され、車両が走行しながら進路上に積雪した雪の除雪を行うように形成された雪かき装置は、除雪板を車両前端にボルト等の締結具で取り付けたり、溶接して取り付けたりする構造を採用している。
例えば、特許文献１には、鉄道車両の雪かき器（雪かき装置）が記載されている。図１０に示すように、特許文献１に記載された鉄道車両の雪かき器１００は、鉄道車両１０１の前頭に装着する雪かき器において、除雪板部分１０２、１０３を２枚以上の複数重ね合せ構造とし、必要に応じて上下方向へ引き延ばして除雪面積を増大することが可能な構造としたことを特徴としている。上記雪かき器１００によれば、鉄道車両１０１が多少積雪量の多い線区を走行する場合でも、除雪能力を大幅に向上できる効果を奏することができる。
【先行技術文献】
【特許文献】
【０００３】
【特許文献１】実開昭５９−１９６２２号公報
【発明の概要】
【発明が解決しようとする課題】
【０００４】
しかしながら、特許文献１に記載された鉄道車両の雪かき器（雪かき装置）では、除雪板部分を２枚以上の複数重ね合せ構造とし、必要に応じて上下方向へ引き延ばして除雪面積を増大することが可能な構造であるので、構造が複雑となり、重量も重くなって取り扱いが不便となる問題があった。
また、進路上に積雪した雪が想定した積雪量を超えてしまうと、雪を押しのける抵抗によって発生する力が過大になり、除雪板部分を含む雪かき装置、又は雪かき装置が取り付けられている車両前端の取付部に多大な力が作用する。そのため、雪かき装置や取付部等が変形したり損傷したりする問題があった。また、鉄道車両の場合には、さらに脱線に至る恐れもあった。
【０００５】
本発明は、かかる問題を解決するためになされたものであり、取り扱いが便利であるとともに、進路上に積雪した雪の積雪量が所定の基準値を超えたことを容易に知ることができ、雪かき装置や取付部等の変形、破損を未然に防止できる雪かき装置を提供することを目的とする。
【課題を解決するための手段】
【０００６】
上記目的を達成するため、本発明に係る雪かき装置は、以下の構成を備えている。
（１）車両前端の取付部に装着され、車両が走行しながら進路上に積雪した雪を押しのけるように形成された除雪板を有する雪かき装置であって、
前記除雪板の外周面には、前記進路上に積雪した雪の積雪量が所定の基準値以下であることを表わす使用可能表示部と、前記積雪量が所定の基準値以上であることを表す使用不可能表示部とを形成したことを特徴とする。
【０００７】
本発明においては、除雪板の外周面には、進路上に積雪した雪の積雪量が所定の基準値以下であることを表わす使用可能表示部と、積雪量が所定の基準値以上であることを表す使用不可能表示部とを形成したので、進路上に積雪した雪が、除雪板の使用可能範囲内であるか又は使用不可能範囲に到達しているかを、車両外方から目視することができる。そのため、除雪板を車両外方から目視して、積雪量が使用不可能表示部の範囲に到達している場合には、雪かき装置を使用しないという判断を迅速かつ簡単に行うことができ、雪かき装置や車両前端の取付部等の変形、破損を未然に防止できる。
また、除雪板には、進路上に積雪した雪の積雪量が所定の基準値以下であることを表わす使用可能表示部と、積雪量が所定の基準値以上であることを表す使用不可能表示部とを形成するだけでよいので、雪かき装置の構造が複雑とならず、また、重量も特に重くなることはない。そのため、雪かき装置における取り扱い上の利便性を維持させることができる。
よって、本発明によれば、取り扱いが便利であるとともに、進路上に積雪した雪の積雪量が所定の基準値を超えたことを容易に知ることができ、雪かき装置や取付部等の変形、破損を未然に防止できる雪かき装置を提供することができる。
【０００８】
（２）（１）に記載された雪かき装置において、
前記使用可能表示部及び前記使用不可能表示部は、上下方向で互いに隣接して車両前面から車両側面まで帯状に形成されていることを特徴とする。
【０００９】
本発明においては、使用可能表示部及び使用不可能表示部は、上下方向で互いに隣接して車両前面から車両側面まで帯状に形成されているので、使用可能表示部が積雪によって完全に隠れたか否かを正確に識別することが、車両外方の各方向から容易となる。
その結果、積雪量が所定の基準値を超えたことを見逃す恐れが低減され、雪かき装置や取付部等の変形、破損をより一層確実に防止できる。
【００１０】
（３）（１）又は（２）に記載された雪かき装置において、
前記使用可能表示部には、雪とコントラストのつきやすい濃い色を着色し、かつ、前記使用不可能表示部には、当該濃い色と区別しやすい明るい色を着色したことを特徴とする。
【００１１】
本発明においては、使用可能表示部には、雪とコントラストのつきやすい濃い色を着色し、かつ、使用不可能表示部には、当該濃い色と区別しやすい明るい色を着色したので、使用可能表示部が積雪によって完全に隠れたか否かを識別することが、より一層容易となる。
その結果、積雪量が所定の基準値を超えたことを見逃す恐れが更に低減され、雪かき装置や取付部等の変形、破損をより一層確実に防止できる。
【００１２】
（４）（１）乃至（３）のいずれか１つに記載された雪かき装置において、
前記除雪板には、積雪した雪をかき取り可能に形成された雪かき部を有し、前記使用可能表示部は前記雪かき部に主に形成されていることを特徴とする。
【００１３】
本発明においては、除雪板には、積雪した雪をかき取り可能に形成された雪かき部を有し、使用可能表示部は雪かき部に主に形成されているので、強度が必要な雪かき部を、除雪能力に対応した大きさでコンパクトに形成することができる。そのため、雪かき部に想定外の負荷がかかるのを未然に防止するとともに、雪かき装置全体の軽量化を促進することができる。
その結果、雪かき装置の軽量化に伴って、取扱い上の利便性をより一層高めると同時に、雪かき装置や取付部等の変形、破損をより一層確実に防止できる。
【００１４】
（５）（１）乃至（４）のいずれか１つに記載された雪かき装置において、
前記車両前端の取付部には、進路上に置かれた障害物を排除する排障部を有する排障装置と前記雪かき装置とを交換可能に装着されることを特徴とする。
【００１５】
本発明においては、車両前端の取付部には、進路上に置かれた障害物を排除する排障部を有する排障装置と雪かき装置とを交換可能に装着されるので、雪かき装置の取扱い上の利便性をより一層高めることができる。例えば、首都圏を走行する電車のように、通常の運転時には排障装置を装着し、大雪時にのみ雪かき装置を装着する場合には、好都合である。
なお、除雪板と排障部とを交換することによって、雪かき装置から排障装置３０へ簡単に切り替えることが、より一層好ましい。
【発明の効果】
【００１６】
本発明によれば、取り扱いが便利であるとともに、進路上に積雪した雪の積雪量が所定の基準値を超えたことを容易に知ることができ、雪かき装置や取付部等の変形、破損を未然に防止できる雪かき装置を提供することができる。
【図面の簡単な説明】
【００１７】
【図１】本発明の実施形態に係る雪かき装置を装着した鉄道車両の正面図である。
【図２】本発明の実施形態に係る雪かき装置を装着した鉄道車両の側面図である。
【図３】図１に示す雪かき装置の拡大正面図である。
【図４】図２に示す雪かき装置の拡大側面図である。
【図５】図３に示すＡ−Ａ断面図である。
【図６】図３に示すＢ−Ｂ断面図である。
【図７】図３に示す雪かき装置を排障装置と取り替えた場合の拡大正面図である。
【図８】図３に示す雪かき装置を排障装置と取り替えた場合の拡大側面図である。
【図９】図３に示す雪かき装置と積雪量との関係を表す説明図である。
【図１０】特許文献１に記載された雪かき器の断面図である。
【発明を実施するための形態】
【００１８】
次に、本発明の実施形態に係る雪かき装置について、図面を参照しながら詳細に説明する。はじめに、本実施形態に係る雪かき装置の全体構成を説明し、その後、本雪かき装置と、取り替え可能に装着される排障装置との異同を説明する。最後に、本雪かき装置と積雪量との関係を説明する。
【００１９】
＜雪かき装置の全体構成＞
まず、本実施形態に係る雪かき装置の全体構成について、図１〜図６を用いて説明する。図１に、本発明の実施形態に係る雪かき装置を装着した鉄道車両の正面図を示す。図２に、本発明の実施形態に係る雪かき装置を装着した鉄道車両の側面図を示す。図３に、図１に示す雪かき装置の拡大正面図を示す。図４に、図２に示す雪かき装置の拡大側面図を示す。図５に、図３に示すＡ−Ａ断面図を示す。図６に、図３に示すＢ−Ｂ断面図を示す。
【００２０】
図１〜図６に示すように、本実施形態に係る雪かき装置２０は、除雪板２と車台カバー部２３と左右連結部２４と前連結部２８とを備え、左右連結部２４と前連結部２８とを介して鉄道車両（車両）１の車両前端１１に位置する取付部１１１に装着されている。
【００２１】
除雪板２は、線路（進路）５上の所定高さに形成された雪かき部２１と、雪かき部２１の上方に形成された袴部２２とから構成されている。雪かき部２１は、側面視で上下方向中間部２１１が車両後方へ凹む略円弧状断面を有するように形成されている。また、雪かき部２１は、平面視で車両前中央から車両後側方へ略Ｖ字状断面を有するように形成されている。雪かき部２１の車両側端２１２は、車輪６の間隔より幅広く形成されている。雪かき部２１の下端２１３は、水平状に形成されている。雪かき部２１の上端２１４は、車両前中央が最も低く、車両後方へ行くにしたがって高く形成されている。そのため、雪かき部２１は、線路５上に積雪した雪をかきとり、車両前中央から車両後側方へ排出するように形成されている。
【００２２】
雪かき部２１の上端２１４は、袴部２２にボルト締め又は溶接等によって連接されている。袴部２２は、上方が前方へ倒伏する傾斜面として形成され、平面視で車両前端１１に沿って略コ字状に延設されている。また、袴部２２における雪かき部２１との連接部２２１には、略三角状の傾斜面が形成されている。この袴部２２によって、雪かき部２１がかき取った雪が車両内方へ侵入するのを防止できる。なお、袴部２２の上端２２２は、水平状に形成されている。
【００２３】
除雪板２の外周面には、線路５上に積雪した雪の積雪量が所定の基準値以下であることを表わす使用可能表示部３と、線路５上に積雪した雪の積雪量が所定の基準値以上であることを表す使用不可能表示部４とが形成されている。使用可能表示部３及び使用不可能表示部４は、上下方向で互いに隣接して車両前面から車両側面まで帯状に形成されている。使用可能表示部３と使用不可能表示部４との境界線ＫＬは、水平状に形成されている。使用可能表示部３は、主に雪かき部２１に形成され、使用不可能表示部４は、主に袴部２２に形成されている。
【００２４】
使用可能表示部３には、雪とコントラストのつきやすい濃い色を着色し、かつ、使用不可能表示部４には、当該濃い色と区別しやすい明るい色を着色している。雪とコントラストのつきやすい濃い色は、有彩色でも無彩色でもよい。例えば、濃い有彩色では、濃紺色、濃緑色、濃褐色などが該当し、濃い無彩色では、黒色、黒っぽい灰色などが該当する。濃い色と区別しやすい明るい色も、有彩色でも無彩色でもよい。例えば、明るい有彩色では、薄黄色、薄赤（ピンク）色、薄橙色などが該当し、明るい無彩色では、白色、白っぽい灰色などが該当する。なお、使用可能表示部３及び使用不可能表示部４の着色は、一色で形成しても、複数の色を用いて形成してもよい。また、使用可能表示部３及び使用不可能表示部４は、意匠上の見栄えを考慮した模様状に着色してもよい。
【００２５】
車台カバー部２３は、車台前方に突出する車両連結部１１２を挟んで車両前端１１の左右両側に配置され、袴部２２の上端２２２と分割可能にボルト締め等の締結手段によって連結されている。各車台カバー部２３は、袴部２２の倒伏する傾斜面と略同一面上に形成され、平面視で略Ｌ字状に延設されている。車台カバー部２３の上端内方には、鍔部２３１が形成されている。なお、車台カバー部２３と袴部２２とを、上述のように分割可能に形成してもよいが、一体に形成してもよい。
【００２６】
左右連結部２４は、車台カバー部２３と取付部１１１とを車両前方及び側方で連結する部材である。左右連結部２４には、車台カバー部２３の鍔部２３１と連接された縦壁部２４１と、車両前端１１に位置する取付部１１１に装着される横壁部２４２とを備えている。横壁部２４２には、異なる外径を有する２種類の締付孔２６ｂ、２７ｂが穿設されている。左右連結部２４は、上記２種類の締付孔２６ｂ、２７ｂに挿通する２種類の締付ボルト２６ａ、２７ａを介して取付部１１１に締結されている。ここで、２種類の締付ボルト２６ａ、２７ａの内、小径の締付ボルト２６ａは、後述する排障装置３０の締付ボルト２６ａと同一の外径であって、取付部１１１における排障装置３０の締結位置と同一の位置に締結されている。なお、大径の締付ボルト２７ａは、雪かき部２１に作用する外力に対応して補強用に適宜追加されている。
【００２７】
前連結部２８は、除雪板２の袴部２２と取付部１１１とを連結する略Ｌ字状部材である。前連結部２８は、車両中央付近の左右対称位置に各１つ配置されている。前連結部２８は、除雪板２の車両中央付近の垂れ下りを防止するように形成されている。
【００２８】
＜雪かき装置と排障装置との異同＞
次に、本雪かき装置と、取り替え可能に装着される排障装置との異同を、図７、図８を用いて説明する。図７に、図３に示す雪かき装置を排障装置と取り替えた場合の拡大正面図を示す。図８に、図３に示す雪かき装置を排障装置と取り替えた場合の拡大側面図を示す。
【００２９】
図７、図８に示すように、排障装置３０は、線路（進路）上に置かれた障害物を排除する装置であって、排障板３１と左右連結部３２と前連結部３３とを備え、左右連結部３２と前連結部３３とを介して鉄道車両（車両）１の車両前端１１に位置する取付部１１１に装着されている。
【００３０】
排障板３１は、線路（進路）５上の所定高さに形成された排障部３１１と、排障部３１１の上方に形成された車台カバー部３１２とから構成されている。排障部３１１は、軽量化して取り付け作業等を容易化するため、車両前面中央に配置される中央排障部３１１１と車両前面側方に配置される側方排障部３１１２とを、分割可能に締付ボルト２９aによって連結されている。排障部３１１の下端３１３は、雪かき装置２０の雪かき部２１の下端２１３より高い位置に設定されている。また、排障板３１は、雪かき装置２０の除雪板２と異なり、上方が前方へ倒伏する平坦な傾斜面で形成され、また、車両前端１１に沿って略コ字状に延設されている。また、排障板３１の車台カバー部３１２は、雪かき装置２０の車台カバー部２３と略同様の大きさで形成され、車台前方に突出する車両連結部１１２を挟んで車両前端１１の左右両側に配置されている。排障部３１１と車台カバー部３１２とは、分割可能にボルト締め等の締結手段によって連結されている。そのため、雪かき装置２０の除雪板２と排障部３１１とを交換することによって、雪かき装置２０から排障装置３０へ簡単に切り替えることができる。この場合、排障部３１１と車台カバー部３１２との締結手段と、袴部２２と車台カバー部２３との締結手段の一部又は全部とを共通化することによって、排障装置３０と雪かき装置２０との交換作業の利便性を更に向上させることができる。なお、袴部２２と車台カバー部２３との締結手段には、雪かき部２１に作用する外力に対応して補強手段を適宜追加すると良い。また、雪かき装置２０において、車台カバー部２３と袴部２２とを一体に形成する場合には、排障装置３０における排障部３１１と車台カバー部３１２とを、一体に形成してもよい。
【００３１】
左右連結部３２は、車台カバー部３１２と取付部１１１とを車両前方及び側方で連結する部材である。左右連結部３２は、雪かき装置２０の左右連結部２４と略同様の大きさに形成され、小径の締付ボルト２６ａのみを使用する点が相違する。また、前連結部３３は、排障板３１の側方排障部３１１２と取付部１１１とを連結する略Ｌ字状部材である。前連結部３３は、雪かき装置２０の前連結部２８と略同様の大きさに形成され、取付部１１１に締結する位置及び締付ボルトは共通している。
【００３２】
以上のように、雪かき装置２０と排障装置３０とは、除雪板２と排障部３１１との形状が相違し、雪かき装置２０に大径の締付ボルト２７ａを適宜追加するものの、車台カバー部２３、３１２、左右連結部２４、３２及び前連結部２８、３３の形状を共通化させ、更に左右連結部２４、３２及び前連結部２８、３３を取付部１１１に締結する位置及び締付ボルト２６ａが共通化されている。そのため、排障装置３０と雪かき装置２０との交換作業の利便性が向上されている。
【００３３】
＜雪かき装置と積雪量との関係＞
次に、本雪かき装置と積雪量との関係について、図９を用いて説明する。図９に、図３に示す雪かき装置と積雪量との関係を表す説明図を示す。図９（ａ）は、線路上に積雪が無い通常の状態を示す。図９（ｂ）は、線路上に所定の基準値以下の積雪があり、雪かき装置を装着して運転可能な状態を示す。図９（ｃ）は、線路上に所定の基準値以上の積雪があり、雪かき装置を装着して運転不可能な状態を示す。
【００３４】
図９（ａ）に示すように、除雪板２の外周面には、使用可能表示部３及び使用不可能表示部４が、上下方向で互いに隣接して車両前面から車両側面まで帯状に形成されている。線路上には積雪が無いので、車両外方から使用可能表示部３及び使用不可能表示部４の全体を目視することができる。
【００３５】
次に、図９（ｂ）に示すように、線路上に所定の基準値以下の積雪がある場合、使用可能表示部３の上方部は、雪に覆われていないので、車両外方から目視することができる。使用可能表示部３には、雪とコントラストのつきやすい濃い色が着色されているので、雪に覆われていない使用可能表示部３の上方部の範囲が狭くても、使用可能表示部３を簡単に識別することができる。したがって、使用可能表示部３が積雪によって完全に隠れたか否かを識別することが、より一層容易となる。
【００３６】
次に、図９（ｃ）に示すように、線路上に所定の基準値以上の積雪がある場合、使用可能表示部３は完全に雪に覆われ、車両外方から使用不可能表示部４のみを目視することができる。使用不可能表示部４には、使用可能表示部３に着色された濃い色と区別しやすい明るい色が着色されているので、使用可能表示部３と使用不可能表示部４とを簡単に識別することができる。したがって、使用可能表示部３が積雪によって完全に隠れたか否かを識別することが、より一層容易となる。
【００３７】
＜作用効果＞
以上、詳細に説明した本実施形態に係る雪かき装置２０によれば、除雪板２の外周面には、線路５上に積雪した雪の積雪量が所定の基準値以下であることを表わす使用可能表示部３と、積雪量が所定の基準値以上であることを表す使用不可能表示部４とを形成したので、進路上に積雪した雪が、除雪板２の使用可能範囲内であるか又は使用不可能範囲に到達しているかを、車両外方から目視することができる。そのため、除雪板２を車両外方から目視して、積雪量が使用不可能表示部４の範囲に到達している場合には、雪かき装置２０を使用しないという判断を迅速かつ簡単に行うことができ、雪かき装置２０や車両前端１１の取付部１１１等の変形、破損を未然に防止できる。
また、除雪板２には、進路上に積雪した雪の積雪量が所定の基準値以下であることを表わす使用可能表示部３と、積雪量が所定の基準値以上であることを表す使用不可能表示部４とを形成するだけでよいので、雪かき装置２０の構造が複雑とならず、また、重量も特に重くなることはない。そのため、雪かき装置２０における取り扱い上の利便性を維持させることができる。
よって、本実施形態によれば、取り扱いが便利であるとともに、進路上に積雪した雪の積雪量が所定の基準値を超えたことを容易に知ることができ、雪かき装置２０や取付部１１１等の変形、破損を未然に防止できる雪かき装置２０を提供することができる。
【００３８】
また、本実施形態によれば、使用可能表示部３及び使用不可能表示部４は、上下方向で互いに隣接して車両前面から車両側面まで帯状に形成されているので、使用可能表示部３が積雪によって完全に隠れたか否かを正確に識別することが、車両外方の各方向から容易となる。
その結果、積雪量が所定の基準値を超えたことを見逃す恐れが低減され、雪かき装置２０や取付部１１１等の変形、破損をより一層確実に防止できる。
【００３９】
また、本実施形態によれば、使用可能表示部３には、雪とコントラストのつきやすい濃い色を着色し、かつ、使用不可能表示部４には、当該濃い色と区別しやすい明るい色を着色したので、使用可能表示部３が積雪によって完全に隠れたか否かを識別することが、より一層容易となる。
その結果、積雪量が所定の基準値を超えたことを見逃す恐れが更に低減され、雪かき装置２０や取付部１１１等の変形、破損をより一層確実に防止できる。
【００４０】
また、本実施形態によれば、除雪板２には、積雪した雪をかき取り可能に形成された雪かき部２１を有し、使用可能表示部３は雪かき部２１に主に形成されているので、強度が必要な雪かき部２１を、除雪能力に対応した大きさでコンパクトに形成することができる。そのため、雪かき部２１に想定外の負荷がかかるのを未然に防止するとともに、雪かき装置全体の軽量化を促進することができる。
その結果、雪かき装置２０の軽量化に伴って、取扱い上の利便性をより一層高めると同時に、雪かき装置２０や取付部１１１等の変形、破損をより一層確実に防止できる。
【００４１】
また、本実施形態によれば、車両前端１１の取付部１１１には、進路上に置かれた障害物を排除する排障部３１１を有する排障装置３０と雪かき装置２０とを交換可能に装着されるので、雪かき装置２０の取扱い上の利便性をより一層高めることができる。例えば、首都圏を走行する電車のように、通常の運転時には排障装置３０を装着し、大雪時にのみ雪かき装置２０を装着する場合には、好都合である。
なお、除雪板２と排障部３１１とを交換することによって、雪かき装置２０から排障装置３０へ簡単に切り替えることができる。
【００４２】
以上、本発明の雪かき装置に係る実施形態を詳細に説明したが、本発明はこれに限定されることなく、その趣旨を逸脱しない範囲で様々な変更が可能である。例えば、本実施形態では、雪かき装置２０は、鉄道車両１に使用する場合を説明したが、必ずしも鉄道車両に限る必要はなく、例えば、自動車等に使用してもよい。
また、本実施形態では、使用可能表示部３には、雪とコントラストのつきやすい濃い色を着色し、かつ、使用不可能表示部４には、当該濃い色と区別しやすい明るい色を着色したが、必ずしも上記着色に限る必要はない。例えば、使用可能表示部３と使用不可能表示部４との間に明確な境界線を形成したり、段差を設けたり、傾斜角を設けたりすることによって両者を区別し、目視による判定を容易にすることもできる。更に、上記目視による判定に加えて、雪かき装置２０に圧力センサー等を設置し、雪の抵抗を検出して警報を発することによって注意を促すことも可能である。
また、雪かき装置２０の着雪を簡単に落とす方法として、除雪板２等の外周面にフッ素系樹脂（例えば、ポリテトラフルオロエチレン（ＰＴＦＥ）等）の塗料を塗布することも考えられる。
【符号の説明】
【００４３】
１                          鉄道車両（車両）
２                          除雪板
３                          使用可能表示部
４                          使用不可能表示部
５                          線路（進路）
６                          車輪
１１                        車両前端
２０                        雪かき装置
２１                        雪かき部
２２                        袴部
２３                        車台カバー部
２４                        左右連結部
２８                        前連結部
２６ａ、２７ａ              締付ボルト
２６ｂ、２７ｂ              締付孔
３０                        排障装置
１１１                      取付部
１１２                      車両連結部
ＫＬ                        境界線
【図１】
0006437321.tif 000002
【図２】
0006437321.tif 000003
【図３】
0006437321.tif 000004
【図４】
0006437321.tif 000005
【図５】
0006437321.tif 000006
【図６】
0006437321.tif 000007
【図７】
0006437321.tif 000008
【図８】
0006437321.tif 000009
【図９】
0006437321.tif 000010
【図１０】
0006437321.tif 000011